(57)【要約】【課題】多数の接点で電気的に接続されるアクセサリ機器との間で接続の安定性を確保する。【解決手段】フラッシュやマイクが一体化された複合ユニット２００は、アクセサリシュー２４を介してカメラボディ１２に取り付けられる。カメラボディ１２にはカメラ側コネクタ５６が移動自在に設けられており、複合ユニット２００にはアクセサリ側コネクタ２２０が固定して設けられている。各コネクタは、複合ユニット２００をカメラボディ１２に取り付けると互いに接続される。接続されたコネクタは、カメラ側コネクタ５６が移動自在に設けられているため、脚部２１４とアクセサリシュー２４との間にガタツキが生じた場合であっても、互いの接点同士はズレることがなく、安定した接続を確保することができる。【選択図】      図８
2008292765.tif 000002
【特許請求の範囲】
【請求項１】
アクセサリ機器に備えられた脚部をボディに備えられたアクセサリシューに差し込むことにより、前記アクセサリ機器が前記ボディに装着されるカメラにおいて、
前記アクセサリ機器に設けられたアクセサリ側のコネクタと、
前記ボディに設けられ、前記脚部を前記アクセサリシューに差し込むと、前記アクセサリ側のコネクタと接続されるボディ側のコネクタと、
前記アクセサリ側又はボディ側のいずれか一方のコネクタを所定の可動範囲内で移動自在に支持する支持手段と、
を備えたことを特徴とするカメラ。
【請求項２】
前記支持手段は、弾性部材を介して前記コネクタを保持することにより、前記コネクタを所定の可動範囲内で移動自在に支持することを特徴とする請求項１に記載のカメラ。
【請求項３】
前記支持手段は、前記コネクタを前記脚部の差し込み方向に対してほぼ直交する方向に移動自在に支持することを特徴とする請求項１又は２に記載のカメラ。
【請求項４】
前記支持手段は、レールによって前記コネクタを前記脚部の差し込み方向に対してほぼ直交する方向に移動自在に支持することを特徴とする請求項３に記載のカメラ。
【請求項５】
前記支持手段は、揺動自在に支持されたアームに前記コネクタを支持して、前記コネクタを前記脚部の差し込み方向に対してほぼ直交する方向に移動自在に支持することを特徴とする請求項３に記載のカメラ。
【請求項６】
前記アクセサリ側のコネクタと前記ボディ側のコネクタは、一方がオスコネクタ、他方がメスコネクタとして構成され、メスコネクタの内部には、挿入されたオスコネクタを上下又は左右から押圧して挟持する挟持手段を有することを特徴とする請求項１、２、３、４又は５に記載のカメラ。
【請求項７】
前記アクセサリ側のコネクタと前記ボディ側のコネクタは、一方がオスコネクタ、他方がメスコネクタとして構成され、メスコネクタは上下又は左右に分割して形成され、拡縮自在に形成されるとともに、縮方向に付勢する付勢手段を有し、挿入されたオスコネクタを内壁面で上下又は左右から挟持することを特徴とする請求項１、２、３、４又は５に記載のカメラ。
【請求項８】
前記メスコネクタの開口部がテーパ状に形成されることを特徴とする請求項６又は７に記載のカメラ。
【発明の詳細な説明】
【技術分野】
【０００１】
本発明はカメラに係り、特にアクセサリシューを介してボディにアクセサリ機器が装着されるカメラに関する。
【背景技術】
【０００２】
デジタルカメラやビデオカメラには、アクセサリシューを介してフラッシュやマイクなどの各種アクセサリ機器をボディに装着できるようにしているものが多い。一般にアクセサリシューは、レール状に形成されており、対応する形状の脚部を差し込んで取り付けるようにされている。また、このアクセサリシューには、一般に接点が設けられており、取り付けられたアクセサリ機器との間で情報交換ができるようにされている（たとえば、特許文献１、２等）。
【特許文献１】特開平９−１６３２００号公報
【特許文献２】特開２００６−７９０５３号公報
【発明の開示】
【発明が解決しようとする課題】
【０００３】
近年、このアクセサリシューに設けられる接点の数は増える傾向にあり、狭いスペースに多数の接点（たとえば、２４ピン程度）を配置するため、一つ一つの接点が微細化されている。このため、アクセサリシューにガタツキがあると、電気的な接続が安定しないという欠点がある。
【０００４】
本発明は、このような事情に鑑みてなされたもので、多数の接点で電気的に接続されるアクセサリ機器との間で接続の安定性を確保することができるカメラを提供することを目的とする。
【課題を解決するための手段】
【０００５】
請求項１に係る発明は、前記目的を達成するために、アクセサリ機器に備えられた脚部をボディに備えられたアクセサリシューに差し込むことにより、前記アクセサリ機器が前記ボディに装着されるカメラにおいて、前記アクセサリ機器に設けられたアクセサリ側のコネクタと、前記ボディに設けられ、前記脚部を前記アクセサリシューに差し込むと、前記アクセサリ側のコネクタと接続されるボディ側のコネクタと、前記アクセサリ側又はボディ側のいずれか一方のコネクタを所定の可動範囲内で移動自在に支持する支持手段と、を備えたことを特徴とするカメラを提供する。
【０００６】
請求項１に係る発明によれば、アクセサリ機器に備えられた脚部をボディに備えられたアクセサリシューに差し込むと、アクセサリ側のコネクタがボディ側のコネクタと接続される。ここで、アクセサリ側又はボディ側のいずれか一方のコネクタは、支持手段によって所定の可動範囲内で移動自在に支持されているため、アクセサリシューと脚部との間にガタツキが生じた場合であっても、接続されたコネクタ同士の接点の位置はズレることがなく、安定した接続を確保することができる。
【０００７】
請求項２に係る発明は、前記目的を達成するために、前記支持手段は、弾性部材を介して前記コネクタを保持することにより、前記コネクタを所定の可動範囲内で移動自在に支持することを特徴とする請求項１に記載のカメラを提供する。
【０００８】
請求項２に係る発明によれば、可動側のコネクタが弾性部材を介して支持される。これにより、アクセサリシューのガタツキは弾性部材で吸収されるようになり、アクセサリシューと脚部との間にガタツキが生じた場合であっても、コネクタ同士は、その接点の位置ズレを生じさせることなく、安定した接続を確保することができる。
【０００９】
請求項３に係る発明は、前記目的を達成するために、前記支持手段は、前記コネクタを前記脚部の差し込み方向に対してほぼ直交する方向に移動自在に支持することを特徴とする請求項１又は２に記載のカメラを提供する。
【００１０】
請求項３に係る発明によれば、可動側のコネクタが、脚部の差し込み方向に対してほぼ直交する方向に移動自在に支持される。一般にアクセサリシューと脚部との間に生じるガタツキは、コネクタ同士の接続部において、脚部の差し込み方向に対してほぼ直交する方向の揺れとして現れるので、可動側のコネクタを脚部の差し込み方向に対してほぼ直交する方向に移動自在に支持することにより、アクセサリシューと脚部との間に生じるガタツキの影響を効果的に取り除くことができ、かつ、接続時にコネクタ同士を確実に接続させることができる。
【００１１】
請求項４に係る発明は、前記目的を達成するために、前記支持手段は、レールによって前記コネクタを前記脚部の差し込み方向に対してほぼ直交する方向に移動自在に支持することを特徴とする請求項３に記載のカメラを提供する。
【００１２】
請求項４に係る発明によれば、可動側のコネクタは、レールにガイドされて、脚部の差し込み方向に対してほぼ直交する方向に移動自在に支持される。
【００１３】
請求項５に係る発明は、前記目的を達成するために、前記支持手段は、揺動自在に支持されたアームに前記コネクタを支持して、前記コネクタを前記脚部の差し込み方向に対してほぼ直交する方向に移動自在に支持することを特徴とする請求項３に記載のカメラを提供する。
【００１４】
請求項５に係る発明によれば、可動側のコネクタは、揺動自在に支持されたアームによって、脚部の差し込み方向に対してほぼ直交する方向に移動自在に支持される。
【００１５】
請求項６に係る発明は、前記目的を達成するために、前記アクセサリ側のコネクタと前記ボディ側のコネクタは、一方がオスコネクタ、他方がメスコネクタとして構成され、メスコネクタの内部には、挿入されたオスコネクタを上下又は左右から押圧して挟持する挟持手段を有することを特徴とする請求項１、２、３、４又は５に記載のカメラを提供する。
【００１６】
請求項６に係る発明によれば、アクセサリ側のコネクタとボディ側のコネクタは、一方がオスコネクタ、他方がメスコネクタとして構成される。そして、メスコネクタとして構成されたコネクタの内部には、挟持手段が設けられ、挿入されたオスコネクタは、この挟持手段によって上下又は左右（上下及び左右を含む）から挟持される。これにより、抜けを防止でき、より安定した接続を確保することができる。
【００１７】
請求項７に係る発明は、前記目的を達成するために、前記アクセサリ側のコネクタと前記ボディ側のコネクタは、一方がオスコネクタ、他方がメスコネクタとして構成され、メスコネクタは上下又は左右に分割して形成され、拡縮自在に形成されるとともに、縮方向に付勢する付勢手段を有し、挿入されたオスコネクタを内壁面で上下又は左右から挟持することを特徴とする請求項１、２、３、４又は５に記載のカメラを提供する。
【００１８】
請求項７に係る発明によれば、アクセサリ側のコネクタとボディ側のコネクタは、一方がオスコネクタ、他方がメスコネクタとして構成される。そして、メスコネクタとして構成されたコネクタは、上下又は左右（上下及び左右を含む）に分割して形成され、付勢手段によって縮方向に付勢された状態で拡縮自在に形成される。これにより、メスコネクタに挿入すると、オスコネクタはメスコネクタの内壁面に挟持され、抜けが防止される。
【００１９】
請求項８に係る発明は、前記目的を達成するために、前記メスコネクタの開口部がテーパ状に形成されることを特徴とする請求項６又は７に記載のカメラを提供する。
【００２０】
請求項８に係る発明によれば、メスコネクタの開口部がテーパ状に形成される。これにより、接続時にメスコネクタとオスコネクタの位置が若干ズレていたとしても、テーパ状に形成されたメスコネクタの開口部のガイド作用でオスコネクタをメスコネクタに導くことができ、確実にコネクタ同士を接続させることができる。
【発明の効果】
【００２１】
本発明によれば、多数の接点で電気的に接続されるアクセサリ機器との間で接続の安定性を確保することができる。
【発明を実施するための最良の形態】
【００２２】
以下、添付図面を参照して本発明に係るカメラを実施するための最良の形態について説明する。
【００２３】
図１、図２は、それぞれ本発明に係るカメラの第１の実施形態の外観構成を示す正面斜視図と背面斜視図である。
【００２４】
同図に示すように、このカメラ１０は、レンズ一体型のデジタルカメラであり、アクセサリシューを介して各種アクセサリ機器をボディに取り付けられるようにされている。
【００２５】
このカメラ１０のカメラボディ１２は、矩形の箱状に形成されており、その正面には、図１に示すように、撮影レンズ１４、ＡＦ補助光ランプ１６、グリップ１８等が設けられている。また、カメラボディ１２の上面には、シャッタボタン２０、モードダイヤル２２、アクセサリシュー２４、カメラ側コネクタユニット５０等が設けられている。
【００２６】
一方、カメラボディ１２の背面には、図２に示すように、液晶モニタ２８、電源スイッチ３０、ズームボタン３２、ＭＥＮＵ／ＯＫボタン３４、十字ボタン３６、再生ボタン３８、ファンクションボタン４０、ＤＩＳＰ／ＢＡＣＫボタン４２、露出補正ボタン４４等が設けられている。
【００２７】
また、図示しないカメラボディ１２の底面には、三脚ネジ孔、バッテリ装填部、メモリカードスロット等が設けられており、バッテリ装填部とメモリカードスロットはカバーによって開閉自在に覆われている。
【００２８】
さらに、図示しないカメラボディ１２の側面（グリップ側の側面）には、カメラ１０をＰＣ等に接続するためのＰＣ接続端子（たとえば、ＵＳＢ端子）やＡＶ出力端子、ＡＣ端子等が設けられている。
【００２９】
撮影レンズ１４は、カメラボディ１２に一体的に組み込まれており、ズームレンズで構成されている。
【００３０】
ＡＦ補助光ランプ１６は、高輝度のＬＥＤランプで構成されており、ＡＦ時に必要に応じて発光される。なお、このＡＦ補助光ランプ１６は、セルフタイマランプと兼用されており、セルフタイマ撮影時に所定の態様で発光されて、被写体に撮影タイミングを告知する。
【００３１】
シャッタボタン２０は、いわゆる「半押し」と「全押し」とからなる二段ストローク式の押下ボタンで構成されている。撮影時、カメラ１０は、このシャッタボタン２０が半押しされると、ＡＥ／ＡＦ等の撮影準備処理を行い、全押しされると、画像の撮影、記録処理を行う。
【００３２】
モードダイヤル２２は、円盤状に形成されており、図示しないクリック機構により、一定ピッチで回動操作可能に設けられている。カメラ１０は、このモードダイヤル２２の設定位置に応じた撮影モード（たとえば、オート撮影モード、動画撮影モード、マニュアル撮影モード、シーンプログラム撮影モード等）に設定される。
【００３３】
アクセサリシュー２４は、図３に示すように、断面コ字状に形成された一対のガイドレール２４Ａ、２４Ａを対向配置して構成されており、撮影レンズ１４の光軸と平行になるようにして、カメラボディ１２の上面に水平に取り付けられている。カメラに取り付けられるアクセサリ機器１００には、この一対のガイドレール２４Ａ、２４Ａの間に形成される空間の形状に合致した脚部１０２が設けられており、この脚部１０２を一対のガイドレール２４Ａ、２４Ａの間にスライドさせて差し込むことにより、カメラボディ１２に取り付けられる。各ガイドレール２４Ａ、２４Ａの内周部底面には、それぞれ板バネ２４Ｂ、２４Ｂが取り付けられており、ガイドレール２４Ａ、２４Ａの間に差し込まれたアクセサリ機器１００の脚部１０２は、この板バネ２４Ｂ、２４Ｂに付勢されて、ガイドレール２４Ａ、２４Ａの内壁面に押し付けられ、容易に外れることがないように固定される。
【００３４】
なお、アクセサリ機器１００側には、必要に応じて脚部１０２の上部に締め付けリングが設けられ、この締め付けリングでガイドレール２４Ａ、２４Ａの上部を挟持することにより、より強固に固定される。
【００３５】
カメラ側コネクタユニット５０は、アクセサリシュー２４に取り付けられたアクセサリ機器との間で通信を行うためのインターフェイスであり、カメラ側コネクタを内蔵している。カメラ１０に接続されるアクセサリ機器には、このカメラ側コネクタに接続されるアクセサリ側コネクタが備えられている。アクセサリ機器は、アクセサリシュー２４を介してカメラボディ１２に取り付けられると、そのアクセサリ側コネクタがカメラ側コネクタに接続される。この構成については、のちに詳述する。
【００３６】
液晶モニタ２８は、再生モード時に撮影済み画像を表示するための画像表示部として利用されるとともに、各種設定時にＧＵＩとして利用される。また、撮影時には、撮像素子で捉えた画像がスルー表示されて、電子ファインダとして利用される。
【００３７】
電源スイッチ３０は、カメラ１０の電源をＯＮ／ＯＦＦするスイッチであり、ＯＮ位置とＯＦＦ位置との間をスライド自在に設けられたスライド式のスイッチで構成されている。カメラ１０は、この電源スイッチ３０をＯＮ位置にスライドさせることにより、電源がＯＮされ、ＯＦＦ位置にスライドさせることにより、電源がＯＦＦされる。
【００３８】
ズームボタン３２は、撮影レンズ１４のズーム（電子ズームを含む）及び再生画像の縮小拡大を指示するボタンであり、テレ及び拡大方向へのズームを指示するズームテレボタン３２Ｔと、ワイド及び縮小方向へのズーム指示ずるズームワイドボタン３２Ｗとで構成されている。カメラ１０は、撮影モード時、ズームテレボタン３２Ｔが押下されると、撮影レンズ１４がテレ方向にズーム駆動され、ズームワイドボタン３２Ｗが押下されると、ワイド方向にズーム駆動される。また、再生モード時、ズームテレボタン３２Ｔが押下されると、液晶モニタ状の再生画像が拡大表示され、ズームワイドボタン３２Ｗが押下されると、縮小表示される。
【００３９】
ＭＥＮＵ／ＯＫボタン３４は、十字ボタン３６の中央に設けられており、押下式のボタンで構成されている。このＭＥＮＵ／ＯＫボタン３４は、液晶モニタ２８にメニュー画面を呼び出すボタン（ＭＥＮＵボタン）として機能するとともに、そのメニュー画面等で選択した内容の確定や処理の実行を指示するボタン（ＯＫボタン）として機能し、カメラ１０の状態に応じて割り当てられる機能が切り替えられる。本実施の形態のカメラ１０では、このＭＥＮＵ／ＯＫボタン３４の押下によって液晶モニタ上に呼び出されるメニュー画面を利用して、カメラの各種設定が行われる。
【００４０】
十字ボタン３６は、ドーナツ状に形成されており、ＭＥＮＵ／ＯＫボタン３４の周囲を囲うように取り付けられている。この十字ボタン３６は、上下左右４方向に押下操作可能に設けられており、各方向には、カメラ１０の状態に応じた機能が割り当てられる。たとえば、撮影モード時には、左ボタンにマクロ機能のＯＮ／ＯＦＦを切り替える機能が割り当てられ、右ボタンにフラッシュのモード（たとえば、オート発光／強制発光／発光禁止／赤目軽減発光等）を切り替える機能が割り当てられる。また、上ボタンに液晶モニタ２８の明るさを替える機能が割り当てられ、下ボタンにセルフタイマのＯＮ／ＯＦＦを切り替える機能が割り当てられる。また、再生モード時には、左ボタンにコマ送りの機能が割り当てられ、右ボタンにコマ戻しの機能が割り当てられる。また、上ボタンに液晶モニタ２８の明るさを替える機能が割り当てられ、下ボタンに再生中の画像を削除する機能が割り当てられる。また、各種設定時には、液晶モニタ２８に表示されたカーソルを各ボタンの方向に移動させる機能が割り当てられる。
【００４１】
再生ボタン３８は、押下式のボタンで構成されており、再生モードへの移行を指示するボタンとして機能する。カメラ１０は、撮影モード中、この再生ボタン３８が押されると、再生モードに切り替えられる。また、電源ＯＦＦの状態でこの再生ボタン３８が一定時間押されると、再生モードの状態で起動する。
【００４２】
ファンクションボタン４０は、押下式のボタンで構成されており、カメラ１０の状態に応じた機能が割り当てられる。たとえば、撮影モード時には、画像サイズや感度等の設定画面を呼び出す機能が割り当てられ、再生モード時には、スライドショーやプリント予約の画面を呼び出す機能が割り当てられる。
【００４３】
ＤＩＳＰ／ＢＡＣＫボタン４２は、押下式のボタンで構成されており、液晶モニタ２８の表示内容の切り替えを指示するボタン（ＤＩＳＰボタン）として機能するとともに、入力操作のキャンセル等を指示するボタン（ＢＡＣＫボタン）として機能し、カメラ１０の状態に応じて割り当てられる機能が切り替えられる。
【００４４】
露出補正ボタン４４は、押下式のボタンで構成されており、撮影モード時に液晶モニタ２８に露出補正の設定画面を呼び出すボタンとして機能する。
【００４５】
さて、上記のように、本実施の形態のカメラ１０は、アクセサリシュー２４を利用することにより、カメラボディ１２に各種アクセサリ機器を取り付けることができる。
【００４６】
ここでは、アクセサリ機器の一例として、フラッシュとスピーカとマイクと補助電源（バッテリ）とが一体化された複合ユニットをカメラボディ１２に取り付ける場合について説明する。
【００４７】
図４は、この複合ユニット２００の一実施形態の外観構成を示す斜視図である（同図（ａ）は正面斜視図、同図（ｂ）は背面斜視図）。同図に示すように、この複合ユニット２００は、本体２０２の正面にフラッシュ発光部２０４とマイク２０６が設けられており、裏面に液晶パネル２０８とスピーカ２１０と複数の操作ボタンからなる操作部２１２とが設けられている。液晶パネル２０８には、フラッシュの設定情報（ガイドナンバー、画角、フラッシュモード等）が表示されており、操作部２１２を利用して、各種設定が行えるようにされている。また、本体２０２には、補助電源が内蔵されており、この補助電源を利用して、接続されたカメラ１０に電源を供給できるようにされている。
【００４８】
本体２０２の底面中央には、カメラボディ１２に設けられたアクセサリシュー２４に装着するための脚部２１４が設けられている。この脚部２１４は、アクセサリシュー２４の一対のガイドレール２４Ａ、２４Ａの間に嵌合可能な形状に形成されており、底部が左右に張り出した断面逆Ｔ字状に形成されている。図５及び図６に示すように、複合ユニット２００は、この脚部２１４をアクセサリシュー２４に差し込むことにより、カメラボディ１２に取り付けられる。
【００４９】
また、本体２０２の前面には、カメラ１０に設けられたカメラ側コネクタに接続されるアクセサリ側コネクタ２２０が突出して設けられている。図６〜図８に示すように、このアクセサリ側コネクタ２２０は、オスコネクタとして形成されており、先端上部がテーパ状に傾斜した角柱状に形成されている。そして、脚部２１４の差し込み方向（＝アクセサリシュー２４の差し込み方向＝撮影レンズ１４の光軸の方向と平行）と平行になるようにして、脚部２１４の真上に垂直に取り付けられている。
【００５０】
このアクセサリ側コネクタ２２０の先端下部には、多数の接点２２２が一定ピッチで並列して配置（アクセサリ側コネクタ２２０の突出方向（＝脚部２１４の差し込み方向）と直交する方向に一定ピッチで並列して配置）されている。この接点２２２は、図示しないケーブルを介して本体２０２に内蔵されたメイン基板に接続されている。複合ユニット２００は、この多数の接点２２２を介してカメラ１０との間で信号の送受及び電力の供給が行われる。
【００５１】
複合ユニット２００は、以上のように構成され、図５及び図６に示すように、その脚部２１４をカメラボディ１２に設けられたアクセサリシュー２４に差し込むことにより、カメラボディ１２に取り付けられる。そして、この脚部２１４をアクセサリシュー２４に差し込むと、同時にアクセサリ側コネクタ２２０が、カメラ側コネクタユニット５０に設けられたカメラ側コネクタ５６に接続される。次に、このカメラ側コネクタユニット５０の構成について説明する。
【００５２】
図７及び図８に示すように、カメラ側コネクタユニット５０は、ケース５２内に一対のスプリング５４を介してカメラ側コネクタ５６が移動自在に保持されて構成されている。
【００５３】
ケース５２は、中空の四角い箱状に形成されており、アクセサリシュー２４に対向する面に矩形の開口部５８が形成されている。このケース５２の内部空間６０は、直方体状に形成されており、その上下左右の壁面がアクセサリシュー２４の差し込み方向と平行になるように形成されている。
【００５４】
カメラ側コネクタ５６は、この直方体状に形成された内部空間６０に収容配置されている。カメラ側コネクタ５６は、横幅、奥行きがケース５２の内部空間６０よりも若干小さく、高さがケース５２の内部空間６０とほぼ同じ大きさの四角ブロック状に形成されている。このため、カメラ側コネクタ５６は、ケース５２の内部空間６０内を平面的に移動する。すなわち、高さがケース５２の内部空間６０とほぼ同じに形成されているため、上下方向の移動が規制され、平面的にのみ移動できるように設けられる。
【００５５】
一対のスプリング５４は、このケース５２の内部空間６０に配置されたカメラ側コネクタ５６の左右両面に一端が取り付けられており、他端は、ケース５２の対向する内壁面に取り付けられている。カメラ側コネクタ５６は、この一対のスプリング５４の作用（中点復帰作用）によって無負荷状態では、常にケース５２の中央（いわゆる中立点）に位置する。
【００５６】
カメラ側コネクタ５６は、メスコネクタとして構成されており、アクセサリシュー２４に対向する面に開口する凹部６２が形成されている。この凹部６２は、アクセサリ機器側に設けられるアクセサリ側コネクタの形状に対応して形成されており（したがって、本例では角柱状）、アクセサリシュー２４の差し込み方向と平行に形成されている。また、その開口部は、アクセサリシュー２４を介してアクセサリー機器をカメラボディ１２に取り付けた際、そのアクセサリー機器に設けられているアクセサリ側コネクタと対向するように設けられている。
【００５７】
この凹部６２の底面には、アクセサリ側コネクタ２２０に設けられた接点２２２と接続される接点６４が一定ピッチで多数設けられている。この接点６４は、板バネ状に形成されており、凹部６２内に突出するようにして設けられている。また、各接点６４は、それぞれケーブル６４ａを介してカメラボディ１２に内蔵されたメイン基板に接続されている。ケース５２には、このケーブル６４ａが通される穴６８が形成されている。
【００５８】
また、この凹部６２の開口部は、左右の両縁部６６がテーパ状に傾斜して形成されている。凹部６２に挿入されるアクセサリ側コネクタ２２０は、挿入時にこの両縁部６６をガイドとして凹部内に挿入される。
【００５９】
以上のように構成された本実施の形態のカメラ１０と複合ユニット２００との接続は次のように行われる。
【００６０】
図５及び図６に示すように、複合ユニット２００は、その脚部２１４をアクセサリシュー２４に差し込むと、カメラボディ１２に取り付けられる。
【００６１】
複合ユニット２００の脚部２１４をアクセサリシュー２４に差し込むために、脚部２１４の先端をアクセサリシュー２４の入口部に合わせると、複合ユニット２００に設けられたアクセサリ側コネクタ２２０が、カメラボディ１２に設けられたカメラ側コネクタ５６の凹部６２と対向して配置される。
【００６２】
アクセサリ側コネクタ２２０とカメラ側コネクタ５６の凹部６２は、ともにアクセサリシュー２４の差し込み方向と平行に設けられているため、脚部２１４をアクセサリシュー２４に差し込むと、そのまま互いに接続される。すなわち、アクセサリ側コネクタ２２０が、カメラ側コネクタ５６の凹部６２に挿入される。
【００６３】
なお、この際、アクセサリ側コネクタ２２０とカメラ側コネクタ５６との間に左右方向の位置ズレが生じていたとしても、カメラ側コネクタ５６は、左右方向に移動自在に支持されており、かつ、その凹部６２の開口部の両縁部６６はテーパ状に形成されているため、自動的に位置ズレを吸収して挿入することができる。
【００６４】
アクセサリ側コネクタ２２０が、カメラ側コネクタ５６の凹部６２に挿入されると、アクセサリ側コネクタ２２０に設けられた各接点２２２が、カメラ側コネクタ５６に設けられた対応する接点６４に接触する。これにより、カメラ１０と複合ユニット２００とが、電気的に接続される。
【００６５】
なお、カメラ側コネクタ５６の接点６４は、板バネ状に形成されているため、アクセサリ側コネクタ２２０が、カメラ側コネクタ５６の凹部６２に挿入されると、アクセサリ側コネクタ２２０の接点２２２を押圧しながら接触する。これにより、安定した接続を確保することができる。
【００６６】
以上のようにして、複合ユニット２００がカメラボディ１２に取り付けられ、互いのコネクタ同士が接続される。そして、このように互いのコネクタ同士が接続されることにより、カメラ１０と複合ユニット２００とが電気的に接続され、カメラ側から複合ユニット２００を制御できるようになる。また、複合ユニット２００に内蔵された補助電源から電力供給を受けられるようになる。
【００６７】
また、このように接続されたコネクタは、カメラ側コネクタ５６が移動自在に設けられているため、たとえアクセサリシュー２４と脚部２１４との間にガタツキが生じた場合であっても、図９に示すように、そのガタツキをカメラ側コネクタ５６の移動によって吸収することができるため、常に安定した接続を確保することができる。
【００６８】
図１０は、カメラ側コネクタユニット５０の他の実施の形態の構成を示す平面断面図である。
【００６９】
同図に示すように、本例のカメラ側コネクタユニット５０は、カメラ側コネクタ５６の凹部６２の内側に一対の板バネ７０が取り付けられており、この板バネ７０によって凹部６２内に挿入されたアクセサリ側コネクタを挟持できるようにしている。この板バネ７０は、凹部６２内の左右の両側面に取り付けられており、内側に張り出すようにして湾曲して設けられている。
【００７０】
凹部６２内にアクセサリ側コネクタを挿入すると、アクセサリ側コネクタは、その左右両側面を板バネ７０に押され、挟持される。これにより、コネクタ同士が強固に接続され、ガタツキが生じた場合であっても安定した接続を確保することができる。
【００７１】
なお、メス側のコネクタ（本例ではカメラ側コネクタ）に挿入されたオス側のコネクタ（本例ではアクセサリ側コネクタ）をメス側のコネクタで挟持する構成は、これに限定されるものではなく、他の構成を採用するようにしてもよい。
【００７２】
図１１は、カメラ側コネクタ（メスコネクタ）でアクセサリ側コネクタ（オスコネクタ）を挟持する構成の他の例を示す平面断面図である。
【００７３】
同図に示すように、本例のカメラ側コネクタユニット５０は、ケース５２内に収容されたカメラ側コネクタ５６が左右に分割可能に形成されており、拡縮自在に形成されている。
【００７４】
カメラ側コネクタ５６は、右側の側面部５６ｗが、本体部５６ｖから分離可能に形成されており、接合することにより一体化されて、一つのコネクタを構成するように形成されている。
【００７５】
分離可能に形成された右側の側面部５６ｗには、アクセサリシュー２４の差し込み方向と直交する方向に上下一対のガイド棒５６ｘが取り付けられている（図では上側のガイド棒だけが図示されている）。一方、本体部５６ｖには、この上下一対のガイド棒５６ｘが挿通される上下一対のガイド穴５６ｙが形成されている（図では上側のガイド穴だけが図示されている）。このガイド穴５６ｙは、アクセサリシュー２４の差し込み方向と直交する方向に形成されており、ガイド棒５６ｘは、このガイド穴５６ｙにガイドされて、アクセサリシュー２４の差し込み方向と直交する方向に摺動する。この結果、右側の側面部５６ｗが本体部５６ｖに対して横方向に進退移動する。そして、この右側の側面部５６ｗが本体部５６ｖに対して横方向に進退移動することにより、凹部６２が拡縮する。
【００７６】
また、各ガイド棒５６ｘは、それぞれスプリング５６ｚに通されており、スプリング５６ｚは、一端が本体部５６ｖ、他端が右側の側面部５６ｗに固定されている。これにより、本体部５６ｖと右側の側面部５６ｗは、スプリング５６ｚの引張作用によって常に近づく方向に付勢される。
【００７７】
以上のように構成された本例のカメラ側コネクタユニット５０によれば、アクセサリ側コネクタをカメラ側コネクタ５６の凹部６２に挿入すると、スプリング５６Ｅによって互いに近づく方向に付勢された本体部５６ｖと側面部５６ｗとによって、アクセサリ側コネクタが左右から挟持される。これにより、コネクタ同士が強固に接続され、ガタツキが生じた場合であっても安定した接続を確保することができる。
【００７８】
このように、メス側のコネクタ（本例ではカメラ側コネクタ）にオス側のコネクタ（本例ではアクセサリ側コネクタ）を挟持する手段を設けることにより、コネクタ同士をより強固に接続することができ、ガタツキが生じた場合であっても安定した接続を確保することができる。
【００７９】
なお、上記の例では、メス側のコネクタに挿入されたオス側のコネクタを左右から挟持する構成としているが、上下から挟持する構成としてもよいし、また、上下左右から挟持する構成としてもよい。
【００８０】
図１２及び図１３は、カメラ側コネクタユニットの更に他の実施の形態の構成を示す側面断面図と平面断面図である。
【００８１】
同図に示すように、本例のカメラ側コネクタユニット５０は、ケース５２に収容されたカメラ側コネクタ５６が、一対のガイドレール７２によって横方向（アクセサリシュー２４の差し込み方向と直交する方向）にのみ移動自在に支持されている。
【００８２】
一対のガイドレール７２は、ケース５２の内部空間６０の底面に敷設されており、アクセサリシュー２４への差し込み方向と直交する方向に敷設されている。カメラ側コネクタ５６の底面には、この一対のガイドレール７２に嵌まる一対のガイド溝７４が形成されている。カメラ側コネクタ５６は、このガイド溝７４とガイドレール７２の作用によって、横方向（アクセサリシュー２４の差し込み方向と直交する方向）にのみ移動自在に支持される。
【００８３】
以上のように構成されたカメラ側コネクタユニットによれば、カメラ側コネクタ５６の移動が横方向にのみ限定されるので、アクセサリ側コネクタの挿入時にカメラ側コネクタ５６が前後方向に動くことがなく、両者を確実に接続させることができる。
【００８４】
なお、上記一連の構成では、カメラ側コネクタが移動自在に設けられているが、同様の構成でアクセサリ側コネクタを移動自在に設けてもよい。
【００８５】
図１４は、本発明に係るカメラの第２の実施の形態の構成を示す側面部分断面図である。
【００８６】
本実施の形態のカメラ１０Ａでは、カメラ側コネクタ５６Ａがカメラボディ１２に固定されており、アクセサリ側コネクタ２２０Ａが移動自在に設けられている。
【００８７】
なお、この点以外は上述した第１の実施の形態のカメラ１０と同じである。したがって、以下においては、このカメラ側コネクタ５６Ａとアクセサリ側コネクタ２２０Ａの接続部の構成についてのみ説明し、他の構成については、上述した第１の実施の形態のカメラ１０と同じ符号を付して、その説明は省略する。
【００８８】
カメラ側コネクタ５６Ａは、カメラボディ１２の上面に直接固定されており、移動不能に設けられている。
【００８９】
一方、アクセサリ側コネクタ２２０Ａは、その基端部に弾性体（たとえば、ゴム）２３０が固着されており、この弾性体２３０を介して複合ユニット２００Ａの本体２０２に取り付けられている。これにより、アクセサリ側コネクタ２２０Ａは、その先端部が任意の方向に移動自在（首振り自在）に設けられる。
【００９０】
以上のように構成された本実施の形態のカメラ１０Ａの作用は次のとおりである。
【００９１】
複合ユニット２００Ａは、その脚部２１４をアクセサリシュー２４に差し込むことにより、カメラボディ１２に取り付けられる。
【００９２】
この際、複合ユニット２００Ａの脚部２１４をアクセサリシュー２４に差し込むために、脚部２１４の先端をアクセサリシュー２４の入口部に合わせると、複合ユニット２００Ａに設けられたアクセサリ側コネクタ２２０Ａが、カメラボディ１２に設けられたカメラ側コネクタ５６Ａの凹部６２と対向して配置される。
【００９３】
したがって、脚部２１４をアクセサリシュー２４に差し込むと、アクセサリ側コネクタ２２０Ａが、カメラ側コネクタ５６Ａの凹部６２に挿入される。この際、アクセサリ側コネクタ２２０Ａとカメラ側コネクタ５６Ａとの間に左右方向の位置ズレが生じていたとしても、アクセサリ側コネクタ２２０Ａは、先端部が移動自在（首振り自在）に設けられており、また、カメラ側コネクタ５６Ａは、その凹部６２の開口部の両縁部６６がテーパ状に形成されているため、自動的に位置ズレを吸収して挿入することができる。
【００９４】
アクセサリ側コネクタ２２０Ａが、カメラ側コネクタ５６Ａの凹部６２に挿入されると、アクセサリ側コネクタ２２０Ａに設けられた各接点２２２が、カメラ側コネクタ５６Ａに設けられた対応する接点６４に接触する。これにより、カメラ１０Ａと複合ユニット２００Ａとが、電気的に接続される。
【００９５】
以上のようにして、複合ユニット２００Ａがカメラボディ１２に取り付けられ、互いのコネクタ同士が接続される。そして、このように互いのコネクタ同士が接続されることにより、カメラ１０Ａと複合ユニット２００Ａとが電気的に接続され、カメラ側から複合ユニット２００Ａを制御できるようになる。また、複合ユニット２００Ａに内蔵された補助電源から電力供給を受けられるようになる。
【００９６】
また、このように接続されたコネクタは、アクセサリ側コネクタ２２０Ａが移動自在に設けられているため、たとえアクセサリシュー２４と脚部２１４との間にガタツキが生じた場合であっても、そのガタツキをアクセサリ側コネクタ２２０Ａの弾性体２３０で吸収することができるため、常に安定した接続を確保することができる。
【００９７】
なお、上記構成では、アクセサリ側コネクタが弾性体を介して移動自在に設けられているが、同様の構成でカメラ側コネクタを移動自在に設けてもよい。
【００９８】
図１５は、本発明に係るカメラの第３の実施の形態の構成を示す側面部分断面図である。
【００９９】
本実施の形態のカメラは、カメラ側に設けられたカメラ側コネクタがオスコネクタとして構成され、アクセサリ機器側に設けられたアクセサリ側コネクタがコネクタとして構成されている。そして、カメラ側コネクタがカメラボディに固定されており、アクセサリ側コネクタが移動自在に設けられている。
【０１００】
なお、この点以外は上述した第１の実施の形態のカメラ１０と同じである。したがって、以下においては、このカメラ側コネクタとアクセサリ側コネクタの接続部の構成についてのみ説明し、他の構成については、上述した第１の実施の形態のカメラ１０と同じ符号を付して、その説明は省略する。
【０１０１】
カメラボディ１２の上面には、複合ユニット２００Ｂにアクセサリ側コネクタ２２０Ｂに接続されるカメラ側コネクタ５６Ｂが突出して設けられている。このカメラ側コネクタ５６Ｂは、オスコネクタとして形成されており、先端上部がテーパ状に傾斜した角柱状に形成されている。そして、アクセサリシュー２４に向けてアクセサリシュー２４の差し込み方向（撮影レンズ１４の光軸の方向と平行）と平行に設けられている。
【０１０２】
このカメラ側コネクタ５６Ｂの先端下部には、多数の接点６４Ｂが一定ピッチで並列して配置されている。この接点６４Ｂは、図示しないケーブルを介してカメラボディ１２に内蔵されたメイン基板に接続されている。
【０１０３】
図１６及び図１７に示すように、アクセサリ側コネクタ２２０Ｂは、四角い箱状に形成されており、前方に向けて開口する凹部２４０が形成されている。この凹部２４０は、カメラ側コネクタ５６Ｂの形状に対応して形成されており（したがって、本例では角柱状）、アクセサリシュー２４への差し込み方向と平行に形成されている。また、その開口部は、複合ユニット２００Ｂをカメラボディ１２に取り付けた際、そのカメラ側コネクタ５６Ｂと対向するように設けられている。
【０１０４】
この凹部２４０の底面には、カメラ側コネクタ５６Ｂに設けられた接点６４と接続される接点２２２が一定ピッチで多数設けられている。この接点２２２は、板バネ状に形成されており、凹部２４０内に突出するようにして設けられている。また、各接点２２２は、それぞれ図示しないケーブルを介して本体２０２に内蔵されたメイン基板に接続されている。また、この凹部２４０の開口部は、左右の両縁部２４２がテーパ状に傾斜して形成されている。凹部２４０に挿入されるカメラ側コネクタ５６Ｂは、挿入時にこの傾斜した両縁部２４２をガイドとして凹部内に挿入される。
【０１０５】
アクセサリ側コネクタ２２０Ｂの上部には、フランジ２４４が周方向に張り出して形成されており、複合ユニット２００Ｂの本体２０２に形成された保持用凹部２４６に遊嵌されている。この保持用凹部２４６は、鉛直下向きに開口して形成されており、その天井面は脚部２１４と平行に形成されている。また、開口部には、フランジ２４８が形成されており、このフランジ２４８が、アクセサリ側コネクタ２２０Ｂのフランジ２４４に係合して、アクセサリ側コネクタ２２０Ｂを保持している。
【０１０６】
ここで、この保持用凹部２４６の開口部の内径は、アクセサリ側コネクタ２２０Ｂの上部の外径よりも若干大きく形成されており、これにより、アクセサリ側コネクタ２２０Ｂが、移動自在に保持される。
【０１０７】
以上のように構成された本実施の形態のカメラ１０Ｂの作用は次のとおりである。
【０１０８】
複合ユニット２００Ｂは、その脚部２１４をアクセサリシュー２４に差し込むことにより、カメラボディ１２に取り付けられる。
【０１０９】
この際、複合ユニット２００Ｂの脚部２１４をアクセサリシュー２４に差し込むために、脚部２１４の先端をアクセサリシュー２４の入口部に合わせると、カメラボディ１２に設けられたカメラ側コネクタ５６Ｂと、複合ユニット２００Ｂに設けられたアクセサリ側コネクタ２２０Ｂの凹部２４０とが対向して配置される。
【０１１０】
したがって、脚部２１４をアクセサリシュー２４に差し込むと、アクセサリ側コネクタ２２０Ｂの凹部２４０にカメラ側コネクタ５６Ｂが挿入される。この際、アクセサリ側コネクタ２２０Ｂとカメラ側コネクタ５６Ｂとの間に左右方向の位置ズレが生じていたとしても、アクセサリ側コネクタ２２０Ｂは、移動自在に設けられており、また、その凹部２４０の開口部の両縁部２４２がテーパ状に形成されているため、自動的に位置ズレを吸収して挿入することができる。
【０１１１】
アクセサリ側コネクタ２２０Ｂの凹部２４０にカメラ側コネクタ５６Ｂが挿入されると、アクセサリ側コネクタ２２０Ｂに設けられた各接点２２２が、カメラ側コネクタ５６Ｂに設けられた対応する接点６４に接触する。これにより、カメラ１０Ｂと複合ユニット２００Ｂとが、電気的に接続される。
【０１１２】
以上のようにして、複合ユニット２００Ｂがカメラボディ１２に取り付けられ、互いのコネクタ同士が接続される。そして、このように互いのコネクタ同士が接続されることにより、カメラ１０Ｂと複合ユニット２００Ｂとが電気的に接続され、カメラ側から複合ユニット２００Ｂを制御できるようになる。また、複合ユニット２００Ｂに内蔵された補助電源から電力供給を受けられるようになる。
【０１１３】
また、このように接続されたコネクタは、アクセサリ側コネクタ２２０Ｂが移動自在に設けられているため、たとえアクセサリシュー２４と脚部２１４との間にガタツキが生じた場合であっても、そのガタツキをアクセサリ側コネクタ２２０Ｂで吸収することができるため、常に安定した接続を確保することができる。
【０１１４】
なお、上記構成では、アクセサリ側コネクタが移動自在に設けられているが、同様の構成でカメラ側コネクタを移動自在に設けてもよい。
【０１１５】
また、本実施の形態では、アクセサリ側コネクタ２２０Ｂを単に移動自在に支持しているが、上記第１の実施の形態のカメラと同様にアクセサリ側コネクタ２２０Ｂの左右両サイドを一対のスプリングで保持し、中点に復帰するように構成してもよい。すなわち、図１８に示すように、アクセサリ側コネクタ２２０Ｂのフランジ２４８の左右両壁面にスプリング５４Ｂを取り付け、このスプリング５４Ｂを介して保持用凹部２４６内に移動自在に支持するようにしてもよい。これにより、アクセサリ側コネクタ２２０Ｂは、無負荷状態では常に中点に保たれ、コネクタ同士を簡単に接続できるようになる。
【０１１６】
また、上記第１の実施の形態のように、メス側のコネクタとして構成されたアクセサリ側コネクタ２２０Ｂにカメラ側コネクタ５６Ｂを挟持する機構を設けてもよい。
【０１１７】
また、上記実施の形態では、アクセサリ側コネクタ２２０Ｂは、同一平面内で移動自在に設けられているが、図１９に示すように、ガイドレール２５０によって、アクセサリシュー２４への差し込み方向と直交する方向に移動自在に設け、アクセサリシュー２４への差し込み方向への移動を規制してもよい。この場合、ガイドレール２５０は、たとえば、図１９に示すように、保持用凹部２４６のフランジ２４８の上面に設けられ、アクセサリシュー２４への差し込み方向と直交する方向に敷設される。アクセサリ側コネクタ２２０Ｂのフランジ２４４の下面には、このガイドレール２５０に嵌まるガイド溝２５２が、アクセサリシュー２４への差し込み方向と直交する方向に設けられる。これにより、アクセサリ側コネクタ２２０Ｂは、アクセサリシュー２４への差し込み方向と直交する方向にのみ移動自在に支持される。
【０１１８】
なお、この場合もアクセサリ側コネクタ２２０Ｂをスプリングで保持して、中点に復帰するようにしてもよい。また、アクセサリ側コネクタ２２０Ｂにカメラ側コネクタ５６Ｂを挟持する機構を設けてもよい。
【０１１９】
図２０は、本発明に係るカメラの第４の実施の形態の構成を示す側面部分断面図である。
【０１２０】
本実施の形態のカメラは、カメラ側に設けられたカメラ側コネクタがオスコネクタとして構成され、アクセサリ機器側に設けられたアクセサリ側コネクタがコネクタとして構成されている。そして、カメラ側コネクタがカメラボディに固定されており、アクセサリ側コネクタが揺動自在に設けられている。
【０１２１】
なお、アクセサリ側コネクタが揺動自在に設けられている点以外は上述した第３の実施の形態のカメラ１０Ｂと同じである。したがって、以下においては、このアクセサリ側コネクタの構成についてのみ説明する。
【０１２２】
図２１に示すように、アクセサリ側コネクタ２２０Ｃは、四角い箱状に形成されており、前方に向けて開口する凹部２４０が形成されている。この凹部２４０は、カメラ側コネクタ５６Ｂの形状に対応して形成されており、アクセサリシュー２４への差し込み方向と平行に形成されている。また、その開口部は、複合ユニット２００Ｃをカメラボディ１２に取り付けた際、そのカメラ側コネクタ５６Ｂと対向するように設けられている。
【０１２３】
この凹部２４０の底面には、カメラ側コネクタ５６Ｂに設けられた接点６４と接続される接点２２２が一定ピッチで多数設けられている。この接点２２２は、板バネ状に形成されており、凹部２４０内に突出するようにして設けられている。また、各接点２２２は、それぞれ図示しないケーブルを介して本体２０２に内蔵されたメイン基板に接続されている。また、この凹部２４０の開口部は、左右の両縁部２４２がテーパ状に傾斜して形成されている。凹部２４０に挿入されるカメラ側コネクタ５６Ｂは、挿入時にこの傾斜した両縁部２４２をガイドとして凹部内に挿入される。
【０１２４】
アクセサリ側コネクタ２２０Ｃの上部には、アーム２６０が一体的に取り付けられており、アクセサリ側コネクタ２２０Ｃは、このアーム２６０の先端部に固着されている。
【０１２５】
アーム２６０は、脚部２１４の摺動面（脚部２１４の下面）と平行に設けられており、その基端部には、円形状の軸受穴２６２が垂直に形成されている。この軸受穴２６２には、複合ユニット２００Ｃに設けられた円柱状の支柱２６４が挿通されている。
【０１２６】
支柱２６４は、脚部２１４の摺動面に対して垂直に立設されており、ほぼ脚部２１４の真上に設けられている（脚部２１４の中心と支柱２６４の中心がほぼ一致している）。アーム２６０は、この支柱２６４に揺動自在に支持されている。
【０１２７】
アクセサリ側コネクタ２２０Ｃは、このアーム２６０が揺動自在に支持されることにより、脚部２１４を中心として揺動自在に支持され、アクセサリシュー２４の差し込み方向に対してほぼ直交する方向に移動自在に支持される。
【０１２８】
以上のように構成された本実施の形態のカメラの作用は次のとおりである。
【０１２９】
複合ユニット２００Ｃは、その脚部２１４をアクセサリシュー２４に差し込むことにより、カメラボディ１２に取り付けられる。
【０１３０】
この際、複合ユニット２００Ｃの脚部２１４をアクセサリシュー２４に差し込むために、脚部２１４の先端をアクセサリシュー２４の入口部に合わせると、カメラボディ１２に設けられたカメラ側コネクタ５６Ｂと、複合ユニット２００Ｃに設けられたアクセサリ側コネクタ２２０Ｃの凹部２４０とが対向して配置される。
【０１３１】
したがって、脚部２１４をアクセサリシュー２４に差し込むと、アクセサリ側コネクタ２２０Ｃの凹部２４０にカメラ側コネクタ５６Ｂが挿入される。この際、アクセサリ側コネクタ２２０Ｃとカメラ側コネクタ５６Ｂとの間に左右方向の位置ズレが生じていたとしても、アクセサリ側コネクタ２２０Ｃは、移動自在に設けられており、また、その凹部２４０の開口部の両縁部２４２がテーパ状に形成されているため、自動的に位置ズレを吸収して挿入することができる。
【０１３２】
アクセサリ側コネクタ２２０Ｃの凹部２４０にカメラ側コネクタ５６Ｂが挿入されると、アクセサリ側コネクタ２２０Ｃに設けられた各接点２２２が、カメラ側コネクタ５６Ｂに設けられた対応する接点６４に接触する。これにより、カメラ１０Ｂと複合ユニット２００Ｃとが、電気的に接続される。
【０１３３】
以上のようにして、複合ユニット２００Ｃがカメラボディ１２に取り付けられ、互いのコネクタ同士が接続される。そして、このように互いのコネクタ同士が接続されることにより、カメラ１０Ｂと複合ユニット２００Ｃとが電気的に接続され、カメラ側から複合ユニット２００Ｃを制御できるようになる。また、複合ユニット２００Ｃに内蔵された補助電源から電力供給を受けられるようになる。
【０１３４】
また、このように接続されたコネクタは、アクセサリ側コネクタ２２０Ｃが移動自在に設けられているため、たとえアクセサリシュー２４と脚部２１４との間にガタツキが生じた場合であっても、そのガタツキをアクセサリ側コネクタ２２０Ｃで吸収することができるため、常に安定した接続を確保することができる。特に本実施の形態のカメラでは、アクセサリ側コネクタ２２０Ｃが、脚部２１４を中心として揺動自在に支持されているため、アクセサリシュー２４と脚部２１４との間に生じるガタツキが効果的に吸収することができる。
【０１３５】
なお、上記構成では、アクセサリ側コネクタがアーム２６０によって左右に移動自在に設けられているが、同様の構成でカメラ側コネクタをアームによって左右に移動自在に設けてもよい。
【０１３６】
また、本実施の形態では、アクセサリ側コネクタ２２０Ｃを単に移動自在に支持しているが、上記第１の実施の形態のカメラと同様にアクセサリ側コネクタ２２０Ｂの左右両サイドを一対のスプリングで保持し、中点に復帰するように構成してもよい。すなわち、図２２に示すように、アクセサリ側コネクタ２２０Ｂの左右両壁面にスプリング５４Ｃを取り付け、このスプリング５４Ｃを介して複合ユニット２００Ｃの本体２０２に移動自在（揺動自在）に支持するようにしてもよい。これにより、アクセサリ側コネクタ２２０Ｂは、無負荷状態では常に中点に保たれ、コネクタ同士を簡単に接続できるようになる。
【０１３７】
また、上記第１の実施の形態のように、メス側のコネクタとして構成されたアクセサリ側コネクタ２２０Ｃにカメラ側コネクタ５６Ｂを挟持する機構を設けてもよい。
【０１３８】
以上説明したように、本発明に係るカメラによれば、カメラ側に設けられるコネクタとアクセサリ機器側に設けられるコネクタのいずれか一方を移動自在に支持することにより、アクセサリシューと脚部との間にガタツキが生じた場合であっても、常に安定した接続を確保することができる。
【０１３９】
なお、本実施の形態では、アクセサリ機器として、フラッシュとスピーカとマイクと補助電源（バッテリ）とが一体化されたもの（複合ユニット）をカメラに取り付ける場合について説明したが、本発明が適用されるアクセサリ機器は、これに限定されるものではない。他の装置、機能を組み合わせた複合ユニットをカメラに取り付ける場合にも同様に適用することができる。また、外付けのＥＶＦ（電子ビューファインダ）やサブモニタ（第２のモニタ）、サブカメラ（第２の撮像装置）、ＧＰＳユニット、記憶装置（ＨＤＤユニット等の外部ストレージ等）、ストロボ、マイク、スピーカ等の単独の機能を有するアクセサリ機器をカメラに取り付ける場合にも同様に適用することができる。特に、接続に多数の接点（たとえば、２４ピン程度）を要するアクセサリ機器を取り付ける場合に有効に作用する。
【０１４０】
なお、本発明では、このように多数の接点を有するアクセサリ機器の接続の安定性を確保することができることから、カメラ側は必要最小限の機能で構成し、アクセサリ機器で機能を拡充するようにしてもよい。たとえば、カメラは、レンズ一体で撮影機能と記録機能のみを有する構成とし、表示装置としてのモニタはアクセサリ機器として、外付けするようにしてもよい。あるいは、カメラは、撮影機能のみを有する構成とし、記憶装置やモニタはアクセサリ機器として、外付けするようにしてもよい。
【０１４１】
また、上記実施の形態では、アクセサリシューを一対のガイドレールで構成しているが、アクセサリシューの構成は、これに限定されるものではなく、他の構成のアクセサリシューを用いてもよい。また、必要に応じてアクセサリシューに取り付けられた脚部のロック機構を設けてもよい。
【０１４２】
また、メス側のコネクタは、凹部の開口部に開閉自在なシャッタ部材を設け、必要に応じて開閉できる構成としてもよい。
【図面の簡単な説明】
【０１４３】
【図１】カメラの観構成を示す正面斜視図
【図２】カメラの外観構成を示す背面斜視図
【図３】アクセサリシューと脚部の接続部の概略構成を示す斜視図
【図４】複合ユニットの外観構成を示す斜視図
【図５】複合ユニットの着脱時の状態を示す斜視図
【図６】第１の実施の形態のカメラの側面部分断面図
【図７】第１の実施の形態のカメラにおけるカメラ側コネクタユニットの構成を示す側面断面図
【図８】第１の実施の形態のカメラにおけるカメラ側コネクタユニットの構成を示す平面断面図
【図９】第１の実施の形態のカメラにおけるカメラ側コネクタユニットの作用の説明図
【図１０】カメラ側コネクタユニットの他の実施の形態の構成を示す平面断面図
【図１１】カメラ側コネクタユニットの他の実施の形態の構成を示す平面断面図
【図１２】カメラ側コネクタユニットの他の実施の形態の構成を示す側面断面図
【図１３】カメラ側コネクタユニットの他の実施の形態の構成を示す平面断面図
【図１４】第２の実施の形態のカメラの側面部分断面図
【図１５】第３の実施の形態のカメラの側面部分断面図
【図１６】第３の実施の形態のカメラにおけるアクセサリ側コネクタの構成を示す側面断面図
【図１７】第３の実施の形態のカメラにおけるアクセサリ側コネクタの構成を示す正面断面図
【図１８】アクセサリ側コネクタの他の実施の形態の構成を示す正面断面図
【図１９】アクセサリ側コネクタの他の実施の形態の構成を示す正面断面図
【図２０】第４の実施の形態のカメラの側面部分断面図
【図２１】第４の実施の形態のカメラにおけるアクセサリ側コネクタの構成を示す平面断面図
【図２２】アクセサリ側コネクタの他の実施の形態の構成を示す正面断面図
【符号の説明】
【０１４４】
１０、１０Ａ、１０Ｂ…カメラ、１２…カメラボディ、１４…撮影レンズ、２４…アクセサリシュー、２４Ａ…ガイドレール、５０…カメラ側コネクタユニット、５２…ケース、５４…スプリング、５６、５６Ａ、５６Ｂ…カメラ側コネクタ、５６ｖ…本体部、５６ｗ…側面部、５６ｘ…ガイド棒、５６ｙ…ガイド穴、５６ｚ…スプリング、５８…開口部、６０…内部空間、６２…凹部、６４…接点、６４ａ…ケーブル、６６…凹部の開口部の両縁部、７０…板バネ、７２…ガイドレール、７４…ガイド溝、２００、２００Ａ、２００Ｂ、２００Ｃ…複合ユニット（アクセサリ機器）、２０２…本体、２１４…脚部、２２０、２２０Ａ、２２０Ｂ、２２０Ｃ…アクセサリ側コネクタ、２２２…接点、２３０…弾性体、２４０…凹部、２４２…凹部の開口部の両縁部、２４４…フランジ、２４６…保持用凹部、２４８…フランジ、２５０…ガイドレール、２５２…ガイド溝、２６０…アーム、２６２…軸受穴、２６４…支柱
【図１】
2008292765.tif 000003
【図２】
2008292765.tif 000004
【図３】
2008292765.tif 000005
【図４】
2008292765.tif 000006
【図５】
2008292765.tif 000007
【図６】
2008292765.tif 000008
【図７】
2008292765.tif 000009
【図８】
2008292765.tif 000010
【図９】
2008292765.tif 000011
【図１０】
2008292765.tif 000012
【図１１】
2008292765.tif 000013
【図１２】
2008292765.tif 000014
【図１３】
2008292765.tif 000015
【図１４】
2008292765.tif 000016
【図１５】
2008292765.tif 000017
【図１６】
2008292765.tif 000018
【図１７】
2008292765.tif 000019
【図１８】
2008292765.tif 000020
【図１９】
2008292765.tif 000021
【図２０】
2008292765.tif 000022
【図２１】
2008292765.tif 000023
【図２２】
2008292765.tif 000024